(57)【要約】【課題】コンテンツ（例えば、音楽コンテンツ）をユーザ設定のスケジュールにしたがい再生するシステムを提供する。【解決手段】コンテンツ再生システム（１００）は、再生するコンテンツと再生期間とを指定する予約情報を設定する端末（４０）と、予約情報に基づき、再生するコンテンツを示すコンテンツ特定情報とコンテンツの再生期間を示す再生期間情報を含むスケジュール管理情報とを登録する第１のサーバ（５０）と、コンテンツデータを提供する第２のサーバ（７０）と、再生装置（１０）とを備える。再生装置はその近傍に人が存在するか否かを検知する検知部（２３）を備える。再生装置は、人の存在を検知したときに第１のサーバからコンテンツ特定情報と再生期間情報とを取得し、コンテンツ特定情報にしたがい第２のサーバからコンテンツデータを取得し、再生期間情報が示す期間において取得したコンテンツデータに基づきコンテンツを再生する。【選択図】図１
2019121064.tif 000002
【特許請求の範囲】
【請求項１】
コンテンツを再生するためのスケジュールを管理する装置であって、
端末から、再生するコンテンツと、再生する期間と、コンテンツを再生する再生装置とを指定する予約情報を受信する受信部と、
前記予約情報に基づき、再生するコンテンツを示すコンテンツ特定情報と、再生する期間を示す再生期間情報と、コンテンツを再生する装置を示す機器情報とを含むスケジュール管理情報を生成する制御部と、
前記スケジュール管理情報を格納する格納部と、
前記コンテンツ特定情報と前記再生期間情報を送信する送信部と、を備え、
前記制御部は、再生装置から問い合わせを受信したときに、当該再生装置に関連するコンテンツ特定情報と再生期間情報とを当該再生装置に送信する、
スケジュール管理装置。
【請求項２】
前記制御部は、再生装置から問い合わせを受信したときに、現在時刻が前記再生期間情報が示す期間内である場合に、前記再生装置に関連する音楽特定情報と再生期間情報とを前記再生装置に送信する、請求項１に記載のスケジュール管理装置。
【請求項３】
前記コンテンツ特定情報は、コンテンツデータの格納場所を示す情報またはインターネット上でコンテンツデータを提供する音楽配信サービスの場所を示す情報である、請求項１に記載のスケジュール管理装置。
【請求項４】
前記コンテンツは音楽コンテンツであり、前記スケジュール管理情報において、曲単位、アルバム単位及びプレイリスト単位のいずれかで指定される、請求項１に記載のスケジュール管理装置。
【請求項５】
前記スケジュール管理情報はさらにユーザの識別情報を含む、請求項１に記載のスケジュール管理装置。
【請求項６】
前記受信部及び前記送信部はインターネットを介して前記端末及び前記再生装置と通信を行う、請求項１に記載のスケジュール管理装置。
【請求項７】
人の存在を検知する検知部と、
外部機器と通信する通信部と、
コンテンツの再生を制御する制御部と、
再生したコンテンツを出力するデバイスと、を備え、
前記制御部は、前記検知部により人が検知されたときに、
前記通信部を介して第１のサーバから、再生するコンテンツを特定する第１の情報と、再生期間を示す第２の情報とを含むスケジュール情報を取得し、
前記第１の情報にしたがい前記通信部を介して第２のサーバからコンテンツデータを取得し、前記第２の情報が示す再生期間において前記取得したコンテンツデータに基づきコンテンツを再生する、
再生装置。
【請求項８】
前記制御部は、前記再生期間であっても、前記検知部により所定期間以上人が検知されなかったときは、音楽の再生を終了する、
請求項７に記載の再生装置。
【請求項９】
前記スケジュール情報はさらに再生装置の識別情報を含み、取得した識別情報と、自装置の識別情報とが一致したときに、コンテンツデータを取得してコンテンツを再生する、
請求項７に記載の再生装置。
【請求項１０】
前記コンテンツは音楽コンテンツであり、前記デバイスはスピーカである、請求項７ないし９のいずれかに記載の再生装置。
【請求項１１】
前記スケジュール情報はさらに第１のユーザの識別情報を含み、
前記制御部は、
当該再生装置が接続されたネットワークに接続された携帯端末から第２のユーザの識別情報を取得し、
第１及び第２のユーザの情報が一致したときに、音楽データを取得してコンテンツを再生する、
請求項７に記載の再生装置。
【請求項１２】
ユーザが、再生するコンテンツと再生する期間とを指定する予約情報を設定する端末と、
前記予約情報に基づき、再生するコンテンツを示すコンテンツ特定情報と、コンテンツを再生する期間を示す再生期間情報とを含むスケジュール管理情報を登録する第１のサーバと、
コンテンツデータを提供する第２のサーバと、
前記コンテンツデータに基づきコンテンツを再生する再生装置と、を備え、
前記再生装置は、前記再生装置の近傍に人が存在するか否かを検知する検知部を備え、
前記再生装置は、
前記検知部が人の存在を検知したときに、前記第１のサーバに問い合わせを行って前記再生装置に関連するコンテンツ特定情報と再生期間情報を取得し、
前記コンテンツ特定情報にしたがい第２のサーバからコンテンツデータを取得し、前記再生期間情報が示す期間において取得したコンテンツデータを再生する、
コンテンツ再生システム。
【発明の詳細な説明】
【技術分野】
【０００１】
本開示は、ユーザが設定したスケジュールにしたがってコンテンツ（例えば、音楽コンテンツ）を自動で再生するコンテンツ再生システムに関する。
【背景技術】
【０００２】
特許文献１は、利用者の個別の好みに合わせた曲／コンテンツを利用者の好みの様式で提供することができる情報提供装置を開示する。情報提供装置は、利用者の嗜好を管理する利用者情報データベースと、利用者に配信する提供コンテンツを登録したコンテンツデータベースと、利用者情報データベースに登録された利用者の嗜好を参照して、コンテンツデータベースから嗜好に合致した提供コンテンツを抽出していき、利用者端末に連続的に配信する送信内容合成サーバとを有する。この構成により、利用者の嗜好に合致したコンテンツを提供することを可能としている。
【先行技術文献】
【特許文献】
【０００３】
【特許文献１】特開２００３−０１６０９３号公報
【発明の概要】
【発明が解決しようとする課題】
【０００４】
本開示は、ユーザが指定したコンテンツ（例えば、音楽コンテンツ）をユーザが指定したスケジュールで自動再生するコンテンツ再生システムを提供する。
【課題を解決するための手段】
【０００５】
本開示の第１の態様において、コンテンツを再生するためのスケジュールを管理するスケジュール管理装置が提供される。スケジュール管理装置は、端末から、再生するコンテンツと、再生する期間と、コンテンツを再生する再生装置とを指定する予約情報を受信する受信部と、予約情報に基づき、再生するコンテンツを示すコンテンツ特定情報と、再生する期間を示す再生期間情報と、コンテンツを再生する装置を示す機器情報とを含むスケジュール管理情報を生成する制御部と、スケジュール管理情報を格納する格納部と、コンテンツ特定情報と再生期間情報を送信する送信部と、を備える。制御部は、再生装置から問い合わせを受信したときに、当該再生装置に関連するコンテンツ特定情報と再生期間情報を当該再生装置に送信する。
【０００６】
本開示の第２の態様において、再生装置が提供される。再生装置は、人の存在を検知する検知部と、外部機器と通信する通信部と、コンテンツの再生を制御する制御部と、再生したコンテンツを出力するデバイスと、を備える。制御部は、検知部により人が検知されたときに、通信部を介して第１のサーバから、再生するコンテンツを特定する第１の情報と、再生期間を示す第２の情報とを含むスケジュール情報を取得する。制御部は、第１の情報にしたがい通信部を介して第２のサーバからコンテンツデータを取得し、第２の情報が示す再生期間において取得したコンテンツデータに基づきコンテンツを再生する。
【０００７】
本開示の第３の態様において、コンテンツ再生システムが提供される。コンテンツ再生システムは、ユーザが、再生するコンテンツと再生する期間とを指定する予約情報を設定する端末と、予約情報に基づき、再生するコンテンツを示すコンテンツ特定情報と、コンテンツを再生する期間を示す再生期間情報とを含むスケジュール管理情報を登録する第１のサーバと、コンテンツデータを提供する第２のサーバと、コンテンツデータに基づきコンテンツを再生する再生装置と、を備える。再生装置は、再生装置の近傍に人が存在するか否かを検知する検知部を備える。再生装置は、検知部が人の存在を検知したときに、第１のサーバに問い合わせを行って再生装置に関連するコンテンツ特定情報と再生期間情報を取得する。再生装置は、コンテンツ特定情報にしたがい第２のサーバからコンテンツデータを取得し、再生期間情報が示す期間において取得したコンテンツデータに基づきコンテンツを再生する。
【発明の効果】
【０００８】
本開示によれば、ユーザが指定したコンテンツ（例えば、音楽コンテンツ）をユーザが指定したスケジュールで自動再生するコンテンツ再生システムを実現できる。
【図面の簡単な説明】
【０００９】
【図１】本開示の実施の形態１に係る音楽再生システムの構成を示す図
【図２】オーディオ装置の構成を示すブロック図
【図３】スケジュール管理サーバの構成を示すブロック図
【図４】携帯端末の構成を示すブロック図
【図５】携帯端末からスケジュール管理サーバに送信される予約情報の構造を示す図
【図６】スケジュール管理サーバに格納されるスケジュール管理情報の構造を示す図
【図７】スケジュール管理サーバからオーディオ装置に送信されるスケジュール情報の構造を示す図
【図８】携帯端末に表示される、音楽の再生スケジュールを設定するためのカレンダを説明した図
【図９】携帯端末に表示される、音楽ソースを選択するための設定画面（マニュアル設定）の例を説明した図
【図１０】携帯端末に表示される、再生する音楽と再生期間とを指定するための設定画面（マニュアル設定）の例を説明した図
【図１１】再生スケジュールを設定するためのカレンダの別の表示例を説明した図
【図１２】実施の形態１に係る音楽再生システムにおける再生スケジュールの登録時のシーケンスを示す図
【図１３】実施の形態１に係る音楽再生システムにおける自動再生動作時のシーケンスを示す図
【図１４】実施の形態１に係るスケジュール管理サーバにおけるスケジュール管理情報の検索処理を示すフローチャート
【図１５】実施の形態１に係るオーディオ装置における音楽再生処理を示すフローチャート
【図１６】本開示の実施の形態２に係る音楽再生システムを説明した図
【図１７】実施の形態２に係る音楽再生システムにおけるスケジュール情報の構造を示す図
【図１８】実施の形態２に係るオーディオ装置における音楽再生処理を示すフローチャート
【図１９】本開示の実施の形態３に係る音楽再生システムを説明した図
【図２０】プリセット選択による設定画面の例を説明した図
【図２１】実施の形態３に係る音楽再生システムにおける再生スケジュールの登録時のシーケンスを示す図
【図２２】本開示の実施の形態４に係る音楽再生システムを説明した図
【図２３】実施の形態４に係る音楽再生システムにおける誕生日用コンテンツの再生スケジュールの登録時のシーケンスを示す図
【図２４】シーン選択による設定画面の例を説明した図
【図２５】シーン選択による設定画面の例を説明した図
【図２６】実施の形態５に係る音楽再生システムにおける誕生日用コンテンツの再生スケジュールの登録時のシーケンスを示す図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１１】
以下、添付の図面を参照して本開示に係るコンテンツ再生システムの実施の形態を説明する。以下の実施形態では、コンテンツ再生システムの一例として、音楽コンテンツ（以下単に「音楽」ともいう）を再生する音楽再生システムを説明する。特に、本音楽再生システムは、ユーザが事前に指定した音楽と、その再生スケジュールにしたがい自動で音楽コンテンツを再生するシステムである。
【００１２】
（実施の形態１）
［１−１．構成］
［１−１−１．システム構成］
図１は、音楽再生システムの全体構成を示した図である。音楽再生システム１００は、音楽を再生するオーディオ装置１０と、ユーザが音楽の再生スケジュールを設定する携帯端末４０と、音楽の再生スケジュールを管理するスケジュール管理サーバ５０と、音楽データ（コンテンツデータの一例）を蓄積するコンテンツサーバ７０とを備える。
【００１３】
ユーザは、携帯端末４０を用いて、再生したい音楽の情報（曲、アルバム、プレイリスト等）と、再生する期間（再生開始日時、再生終了日時）とを入力する。スケジュール管理サーバ５０は、ユーザにより入力された情報に基づき音楽再生のスケジュールを管理する。コンテンツサーバ７０は、種々のジャンル及び様々なアーティストの音楽データを蓄積している。オーディオ装置１０は、スケジュール管理サーバが管理するスケジュールにしたがい、コンテンツサーバ７０から音楽データを取得し、ストリーミング再生する。
【００１４】
［１−１−２．オーディオ装置］
図２は、オーディオ装置１０の構成を説明した図である。オーディオ装置１０は、その全体動作を制御するコントローラ１１と、ユーザが操作を行う操作部１５と、ＲＡＭ１６と、データやプログラムを記憶するデータ記憶部１７と、を備える。さらに、オーディオ装置１０は、外部機器と通信を行うための第１及び第２無線通信部１８、１９を備える。さらに、オーディオ装置１０は、音声処理回路２１と、スピーカ２２と、人感センサ２３とを備える。
【００１５】
操作部１５はタッチパネルやボタンを含む。ボタンは電源ボタンを含む。
【００１６】
第１無線通信部１８は、Ｗｉ−Ｆｉ（登録商標）の通信規格にしたがい通信を行うための回路（モジュール）である。第２無線通信部１９は、Ｂｌｕｅｔｏｏｔｈ（登録商標）規格にしたがい通信を行うための回路（モジュール）である。オーディオ装置１０は、第１無線通信部１８を介してスケジュール管理サーバ５０及びコンテンツサーバ７０と通信を行う。また、オーディオ装置１０は、第１通信部１８または第２無線通信部１９を介して携帯端末４０と通信を行う。
【００１７】
ＲＡＭ１６は、例えば、ＤＲＡＭやＳＲＡＭ等の半導体デバイスで構成され、データを一時的に記憶するとともに、コントローラ１１の作業エリアとしても機能する。
【００１８】
データ記憶部１７は所定の機能を実現するために必要なパラメータ、データ及び制御プログラム等を記憶する記録媒体である。データ記憶部１７は、例えば、ハードディスク（ＨＤＤ）、半導体記憶装置（ＳＳＤ）、またはフラッシュメモリで構成される。
【００１９】
コントローラ１１は、制御プログラム（ソフトウェア）を実行することで以下に説明する機能を実現する。コントローラ１１の機能は、所定の機能を実現するように専用に設計されたハードウェア回路のみで実現してもよい。すなわち、コントローラ１１は、ＣＰＵ、ＭＰＵのみならず、ＤＳＰ、ＦＰＧＡ、ＡＳＩＣ等で構成することができる。
【００２０】
音声処理回路２１は音声データをアナログ音声信号に変換する。スピーカ２２は音声処理回路２１から出力されたアナログ音声信号に基づき音声を出力する装置である。
【００２１】
人感センサ２３は、赤外線、超音波、可視光等を用いて、オーディオ装置１０近傍の所定範囲内に人が存在するか否かを検知するセンサである。
【００２２】
［１−１−３．スケジュール管理サーバ］
図３は、スケジュール管理サーバ５０の構成を説明した図である。スケジュール管理サーバ５０は例えばパーソナルコンピュータのような情報処理装置で構成される。スケジュール管理サーバ５０は、その全体動作を制御するコントローラ５１と、画面表示を行う表示部５３と、ユーザが操作を行う操作部５５と、データやプログラムを記憶するＲＡＭ５６及びデータ格納部５７とを備える。表示部５３は例えば、液晶ディスプレイや有機ＥＬディスプレイで構成される。操作部５５は、キーボード、マウス、タッチパネル等で構成される。
【００２３】
スケジュール管理サーバ５０はさらに、ネットワークに接続するためのネットワークインタフェース５９（取得部の一例）を含む。ネットワークインタフェース５９は、ＩＥＥＥ８０２．１１、ＷｉＦｉ等の規格に準拠してデータ通信を行う通信モジュール（回路）である。
【００２４】
コントローラ５１（演算部の一例）はＣＰＵやＭＰＵで構成され、データ格納部５７に格納された所定の制御プログラム６１を実行することで所定の機能を実現する。コントローラ５１で実行される制御プログラムはネットワーク２００を介して提供されてもよいし、ＣＤ−ＲＯＭ等の記録媒体で提供されてもよい。
【００２５】
ＲＡＭ５６はプログラムやデータを一時的に格納する記憶素子であり、コントローラ５１の作業領域として機能する。データ格納部５７は機能を実現するために必要なパラメータ、データ及びプログラムを記憶する記録媒体であり、例えばハードディスク（ＨＤＤ）やＳＳＤ（Solid State Drive）で構成される。データ格納部５７は、コントローラ５１で実行される制御プログラム６１を格納している。データ格納部５７はまた、音楽再生のスケジュールを管理するスケジュール管理情報６３を格納する。データ格納部５７はコントローラ５１の作業領域としても機能する。
【００２６】
［１−１−４．携帯端末］
携帯端末４０はオーディオ装置１０と通信可能である。携帯端末４０は、オーディオ装置１０で再生する音楽の再生スケジュールを設定することができる。本実施形態では、携帯端末４０の一例としてスマートフォンを想定するが、携帯端末４０はＰＤＡ、携帯電話等であってもよい。
【００２７】
図４は、携帯端末４０の構成を説明した図である。携帯端末４０は、画像を撮影する撮像部４２と、画像等の情報を表示する表示部４３と、操作部４５とを備えている。さらに、携帯端末４０は、公衆ネットワークに接続するために通信を行なう第１通信インタフェース４８と、他の電子機器と通信を行うための第２通信インタフェース４９と、を備える。さらに、携帯端末４０は、データ等を格納するＲＡＭ４６及びデータ格納部４７と、携帯端末４０の全体動作を制御するコントローラ４１とを備える。
【００２８】
撮像部４２は、ＣＣＤやＣＭＯＳイメージセンサ等の画像センサを備え、被写体を撮像して画像データを生成する。
【００２９】
表示部４３は例えば液晶ディスプレイや有機ＥＬディスプレイで構成される。操作部４５は、表示部４３の上面に重ねて配置され、ユーザによるタッチ操作を受け付けるタッチパネルを含む。操作部４５はさらに操作ボタンを含む。操作ボタンには、携帯端末４０の本体に物理的に設けられたボタンや、表示部４３とタッチパネル機能により実現される仮想的なボタンが含まれる。
【００３０】
第１通信インタフェース４８は公衆ネットワークと接続するための通信モジュール（回路）であり、ＬＴＥや３Ｇ等の通信規格にしたがい通信を行なう。第２通信インタフェース４９ａは、Ｗｉ−Ｆｉ規格にしたがい通信を行なう通信モジュール（回路）である。第３通信インタフェース４９ｂは比較的近距離で他の電子機器と無線通信するための通信モジュール（回路）であり、Ｂｌｕｅｔｏｏｔｈ規格にしたがい通信を行なう。携帯端末４０は、第１または第２通信インタフェース４８、４９ａを介してスケジュール管理サーバ５０及びコンテンツサーバ７０と通信を行う。携帯端末４０は、第２または第３通信インタフェース４９ａ、４９ｂを介してオーディオ装置１０と通信を行う。
【００３１】
ＲＡＭ４６はプログラムやデータを一時的に記憶する記憶素子であり、コントローラ４１の作業領域として機能する。データ格納部４７は、プログラムや種々のデータを格納する記録媒体であり、ハードディスク（ＨＤＤ）、ＳＳＤ（Solid State Drive）、半導体メモリまたは着脱可能なメモリカード等の記録媒体で構成され得る。データ格納部４７には、コントローラ４１により実行されるプログラム（ＯＳ、アプリケーションプログラム）およびデータが格納される。特に、データ格納部４７は、後述する携帯端末４０の機能を実現するための特定のアプリケーションであるカレンダアプリ４７ａを格納している。カレンダアプリ４７ａはネットワーク２００を介して提供されてもよいし、ＣＤ−ＲＯＭ等の記録媒体によって携帯端末４０に提供されてもよい。
【００３２】
コントローラ４１はＣＰＵやＭＰＵで構成され、データ格納部４７に格納されたプログラム（例えば、カレンダアプリ４７ａ）を実行することで所定の機能を実現する。
【００３３】
［１−１−５．種々の情報］
本実施の形態の音楽再生システム１００は、ユーザが聴きたい音楽の再生スケジュールを設定できる。このため、携帯端末４０はユーザ設定にしたがい、聴きたい音楽と、その再生期間とを指定した予約情報を生成する。
【００３４】
図５に、予約情報４７ｂの構成を示す。予約情報４７ｂは、再生する音楽を特定する音楽コンテンツ情報と、音楽の再生を開始する日時である再生開始日時と、音楽の再生を終了する日時である再生終了日時と、音楽を再生する機器の識別情報である機器ＩＤとを管理する。音楽コンテンツ情報は、ユーザが聴きたい音楽を指定するための情報である。音楽コンテンツ情報は、音楽ソースを示す情報と、曲、アルバムまたはプレイリストの格納情報を示す情報とを含む。ここで、音楽ソースとは、インターネット上で音楽データを提供する音楽配信サービスもしくはネットラジオ、携帯端末４７内に保存された音楽データ、または、家庭内のＮＡＳ（Network Attached Storage）の領域である。音楽コンテンツ情報は、再生する曲、アルバムまたはプレイリストに関する音楽データのＵＲＬ（Uniform Resource Locator）を含む。機器ＩＤは音楽を再生する機器のＭＡＣアドレスである。機器ＩＤは機器を一意に識別できる情報であれば他の情報でもよい。
【００３５】
スケジュール管理サーバ５０は、図６に示すような、ユーザにより設定された再生スケジュールを管理するスケジュール管理情報６３を格納する。スケジュール管理情報６３は、ユーザＩＤと、パスワードと、音楽コンテンツ情報と、再生開始日時と、再生終了日時と、機器ＩＤとを含む。スケジュール管理サーバ５０は、複数のユーザに対するスケジュール管理情報６３をユーザ毎に管理する。
【００３６】
図７は、本実施の形態のオーディオ装置１０がスケジュール管理サーバ５０から受信するスケジュール情報の構成を示す図である。スケジュール情報１７ｂは、音楽コンテンツ情報と、再生開始日時と、再生終了日時と、機器ＩＤとを含む。
【００３７】
［１−２．動作］
以上のように構成される音楽再生システム１００の動作を説明する。
【００３８】
ユーザは携帯端末４０を用いて、聴きたい音楽の情報（音楽ソース及び曲／アルバム／プレイリスト）と、その音楽の再生スケジュールとを設定する。携帯端末４０は、ユーザにより設定された再生スケジュールに関する情報をスケジュール管理サーバ５０に送信する。オーディオ装置１０は、人感センサ２３により、人が近くにいることを検出すると、スケジュール管理サーバ５０に、音楽の再生スケジュールを問い合わせる。スケジュール管理サーバ５０は、そのオーディオ装置１０に対して現在時刻に音楽再生がスケジュールされていた場合、オーディオ装置１０に対して再生スケジュールと、再生すべき音楽の格納場所を示す情報（以下「音楽コンテンツ情報」という）とを送信する。オーディオ装置１０は、受信した音楽コンテンツ情報にしたがいコンテンツサーバ７０にアクセスして音楽データを取得して再生する。このように、本実施の形態の音楽再生システム１００によれば、ユーザが設定したスケジュールにしたがい音楽が自動再生される。
【００３９】
以下、音楽再生システム１００における、音楽再生のスケジュール登録に関する動作と、音楽の自動再生に関する動作とをそれぞれ具体的に説明する。本実施の形態では、１つのオーディオ装置１０に対して１つの再生スケジュールが設定される。
【００４０】
［１−２−１．スケジュール登録］
図８、図９、図１０はそれぞれ、携帯端末４０の表示部４３に表示される画面であって、ユーザが音楽再生のスケジュールを設定するための画面を示す。
【００４１】
ユーザにより携帯端末４０上でカレンダアプリ４７ａが起動されると、まず図８に示すようなカレンダが表示される。本システムでは、ユーザは音楽の再生スケジュール（開始日時、終了日時）をカレンダ上で設定することができる。これにより直感的に容易にスケジュールを設定することができる。
【００４２】
図８に示すカレンダ上でユーザが所望の日付の部分をタッチすると、次に図９に示すような設定画面４２０が表示される。この設定画面４２０上でユーザは所望の音楽ソースを選択する。図９の例では、インターネット上の音楽配信サービスである“ＸＸＸ−ＦＭ“、“ＺＹＸ−Ｒａｄｉｏ“が選択可能である。この設定画面４２０上でユーザは聴きたい音楽ソースを設定することができる。設定画面４２０上で１つの項目（例えば、「ＸＸＸ−ＦＭ」の項目４３１）が選択されると、図１０に示すような設定画面が表示される。この設定画面４３０では、ユーザは聴きたい音楽（曲等）及び再生期間を設定することができる。
【００４３】
図１０に示す設定画面４３０は、再生期間を設定するための画面である。再生すべき曲の情報は領域４３２において指定される。再生すべき曲の情報として、曲、アルバム、プレイリストが指定できる。
【００４４】
入力領域４３３、４３４において、再生開始日時と再生終了日時とがそれぞれ指定される。入力領域４３４では、繰り返しの条件を設定することができる。ここで、繰り返しの条件とは、例えば、毎日、毎週、毎月、隔週のような条件である。または、繰り返しの条件として、毎月曜日、毎木曜日のように曜日を指定することもできる。ＯＫボタン４３７により、ユーザによる入力が確定する。
【００４５】
具体的に、図１０の例では、再生期間として２０１７年７月４日１５：００〜１６：００が指定されている。音楽ソースとして、音楽配信サービスである「ＸＸＸ−ＦＭ」が指定されている。再生すべき音楽の情報として、ＸＸＸ−ＦＭが提供するプレイリストの１つである「午後カフェ」が指定されている。
【００４６】
図１１は、ユーザにより再生スケジュールが設定されたときのカレンダの別の表示例を示した図である。図８では、月単位のカレンダが表示されていたが、図１１では、週単位のカレンダが表示されている。さらに、週単位のカレンダの下に、その週に設定された再生スケジュールがグラフィカルに表示される。例えば、図１１において、７月４日の７：００〜９：００は音楽配信サービスである「ＸＸＸ−ＦＭ」のプレイリストの「朝カフェ」が指定され、１１：００〜１３：００は音楽配信サービスである「ＺＹＸ−Ｒａｄｉｏ」のプレイリストの「ランチタイム」が指定されている。
【００４７】
図１２は、本実施の形態に係る音楽再生システム１００における音楽再生スケジュールの登録時のシーケンスを示す図である。図１２を参照して、音楽再生システム１００における再生スケジュールの登録処理を説明する。
【００４８】
携帯端末４０上でユーザによりカレンダアプリ４７ａが起動される（Ｓ１１）。カレンダアプリ４７ａはログイン処理を実行する（Ｓ１２）。ログイン処理では、ユーザにログインＩＤ及びパスワードの入力を求める。携帯端末４０（コントローラ４１）は、ユーザにより入力されたログインＩＤ及びパスワードをスケジュール管理サーバ５０に送信する（Ｓ１３）。スケジュール管理サーバ５０では認証処理が行われる（Ｓ１４）。認証がＯＫの場合、その旨を示す応答を携帯端末４０に送信する（Ｓ１５）。認証がＮＧの場合、携帯端末４０において、ユーザに対して再度ログインＩＤ及びパスワードの入力が求められる。
【００４９】
携帯端末４０（コントローラ４１）は、認証がＯＫの旨の応答を受信すると、図８に示すようなカレンダを表示部４３に表示する（Ｓ１６）。このため、携帯端末４０は既に登録されている予約情報をスケジュール管理サーバ５０に問い合わせる。スケジュール管理サーバ５０は、問い合わせを受けた携帯端末４０に関して登録済みのスケジュール管理情報がある場合、携帯端末４０に登録された予約情報を送信する。携帯端末４０はスケジュール管理サーバ５０から受信した情報に基づきカレンダを表示する。カレンダ上でユーザが所望の日付をタッチすると、図９に示すような設定画面４２０が表示される。この設定画面４２０上でユーザにより音楽ソース（例えば、音楽配信サービス）が選択されると、携帯端末４０は、選択された音楽ソースに対応するコンテンツサーバ７０にアクセスして、音楽ソースが提供可能な音楽のリストである音楽リスト情報を要求する（Ｓ１８）。コンテンツサーバ７０は、携帯端末４０からの要求に応答して音楽リスト情報を携帯端末４０に送信する（Ｓ１９）。ここで、音楽リスト情報は、音楽ソースが提供可能な曲、アルバム、プレイリスト等のデータの格納場所を示す情報（例えば、ＵＲＬまたはＵＲＩ（Uniform Resource Identifier））を含む。
【００５０】
携帯端末４０は、音楽リスト情報（例えば、ＵＲＬ）を受信すると、コンテンツサーバ７０にアクセスし、曲名、アルバム名及び／またはプレイリスト名を取得する。
【００５１】
さらに、携帯端末４０は、第２通信インタフェース４９ａ（Ｗｉ−Ｆｉ通信）または第３通信インタフェース４９ｂ（Ｂｌｕｅｔｏｏｔｈ通信）を介して携帯端末４０が接続するネットワーク上に接続されているオーディオ装置１０を検索する（Ｓ２０）。オーディオ装置１０が見つかった場合、そのオーディオ装置１０に対して機器ＩＤ（すなわち、ＭＡＣアドレス）を要求する（Ｓ２１）。オーディオ装置１０はこの要求を受けて自己の機器ＩＤを携帯端末４０に送信する（Ｓ２２）
【００５２】
携帯端末４０は、図１０に示すように、取得した曲名、機器ＩＤに対応した機器名等を設定した設定画面４３０を表示する（Ｓ２３）。ユーザは表示された項目の中から所望の曲、機器等を選択することができる。例えば、携帯端末４０の周辺に複数のオーディオ装置１０が検出された場合、ユーザは、入力領域４３３ｂにおいて、所望の１つのオーディオ装置を再生機器として選択することができる。
【００５３】
その後、設定画面４３０上で、ユーザによる、再生期間（開始日時、終了日時）等の入力が完了すると（Ｓ２４）、携帯端末４０は、ユーザにより入力された情報にしたがい予約情報４７ｂ（図５参照）を生成してスケジュール管理サーバ５０に送信する（Ｓ２５）。スケジュール管理サーバ５０は受信した予約情報に基づき、認証したユーザに対するスケジュール管理情報６３（図６参照）を更新する（Ｓ２６）。
【００５４】
登録が完了すると、スケジュール管理サーバ５０は、登録完了を示す通知を携帯端末４０に送信する（Ｓ２７）。以上により、再生スケジュールの登録が完了する。
【００５５】
［１−２−２．自動音楽再生］
オーディオ装置１０はユーザにより設定された再生スケジュールにしたがい音楽を自動再生する。
【００５６】
図１３は、実施の形態１の音楽再生システム１００における自動再生動作時のシーケンスを示す図である。図１３を参照して音楽再生システム１００における自動再生動作の概要を説明する。
【００５７】
オーディオ装置１０は、人感センサ２３により、オーディオ装置１０の近傍に人が接近したか否かを検知している。オーディオ装置１０（コントローラ１１）は、人感センサ２３が人の接近を検知すると（Ｓ３１）、スケジュール管理サーバ５０に対して再生スケジュールに関する問い合わせを行う（Ｓ３２）。スケジュール管理サーバ５０は、保存しているスケジュール管理情報において、問い合わせを受けたオーディオ装置１０に関するスケジュール管理情報を検索し（Ｓ３３）、見つけたスケジュール管理情報に基づきスケジュール情報をオーディオ装置１０に送信する（Ｓ３４）。オーディオ装置１０は、受信したスケジュール情報に基づきコンテンツサーバ７０から音楽データを取得しながら音楽をストリーミング再生する（Ｓ３６）。
【００５８】
図１４は、図１３に示すシーケンス動作における、オーディオ装置１０から問い合わせを受けたときに実行されるスケジュール管理情報の検索処理（Ｓ３３）の詳細な処理を示すフローチャートである。
【００５９】
スケジュール管理サーバ５０（コントローラ５１）は、オーディオ装置１０から再生スケジュールの問い合わせを受信すると、そのオーディオ装置１０の機器ＩＤ（ＭＡＣアドレス）に基づき、自己が管理するスケジュール管理情報６３の中に、問い合わせを受けたオーディオ装置１０に対するスケジュール管理情報が登録されているか否かを判断する（Ｓ１０１）。
【００６０】
そのオーディオ装置１０に対するスケジュール管理情報が登録されていた場合（Ｓ１０１でＹＥＳ）、スケジュール管理サーバ５０は、現在日時が、そのスケジュール管理情報が示す再生期間内であるか否かを判断する（Ｓ１０２）。すなわち、現在日時が、再生開始日時以後でかつ再生終了日時以前か否かを判断する。現在日時が再生期間内である場合（Ｓ１０２でＹＥＳ）、スケジュール管理サーバ５０は、そのオーディオ装置１０に対するスケジュール情報をそのオーディオ装置１０に送信する（Ｓ１０３）。
【００６１】
一方、問い合わせを受けたオーディオ装置に対するスケジュール管理情報が登録されていない場合（Ｓ１０１でＮＯ）または現在日時が再生期間外である場合（Ｓ１０２でＮＯ）は、スケジュール管理サーバ５０は、そのオーディオ装置１０に対して登録されたスケジュールがない旨の応答を、そのオーディオ装置１０に送信する（Ｓ１０４）。
【００６２】
図１５は、図１３に示すシーケンス動作における、オーディオ装置１０による音楽再生処理（Ｓ３６）の詳細を示すフローチャートである。
【００６３】
オーディオ装置１０は、スケジュール管理サーバ５０からスケジュール情報１７ｂを受信すると（Ｓ１１１でＹＥＳ）、データ記憶部１７に格納する。オーディオ装置１０は、スケジュール情報１７ｂに含まれる機器ＩＤ（ＭＡＣアドレス）が自己の機器ＩＤと一致するか否か判断する（Ｓ１１２）。このように機器ＩＤの一致を判断することで、他のオーディオ装置に対して設定されたスケジュールに基づき誤動作することを防止できる。
【００６４】
機器ＩＤが一致している場合（Ｓ１１２でＹＥＳ）、オーディオ装置１０は、スケジュール情報１７ｂに含まれる音楽コンテンツ情報にしたがいコンテンツサーバ７０にアクセスし、音楽データを取得し（Ｓ１１３）、ストリーミング再生を開始する（Ｓ１１４）。例えば、音楽コンテンツ情報が、音楽ソースの情報として、音楽配信サービスのＵＲＬを含む場合、オーディオ装置１０はそのＵＲＬに基づきコンテンツサーバ７０にアクセスし、音楽データを取得する。
【００６５】
以後、オーディオ装置１０は、人感センサ２３が人を検知している間は、スケジュール情報１７ｂで規定される再生スケジュールにしたがい音楽を再生する（Ｓ１１５〜Ｓ１１９）。具体的には、オーディオ装置１０は、人感センサ２３が人を検知している間（Ｓ１１６でＹＥＳ）は、現在日時がスケジュールされた再生期間内に含まれるか否かを判断する（Ｓ１１７）。現在日時がスケジュールされた再生期間内に含まれる間（Ｓ１１７でＹＥＳ）、オーディオ装置１０は、音楽再生を継続する。一方、現在日時がスケジュールされた再生期間外になった場合（Ｓ１１７でＮＯ）、オーディオ装置１０は音楽データのストリーミング再生を停止する（Ｓ１１８）。このように予め設定された期間にのみ音楽が再生される。
【００６６】
現在日時がスケジュールされた再生期間内に含まれる間（Ｓ１１７でＹＥＳ）であっても、人感センサ２３が人を検知しなくなってから一定時間以上経過すると（Ｓ１１９でＹＥＳ）、オーディオ装置１０は音楽データのストリーミング再生を停止する（Ｓ１１８）。これにより、オーディオ装置１０の近傍に人が検知された場合にのみ、音楽が再生されるため、無駄な電力消費を低減できる。
【００６７】
［１−３．効果等］
以上のように、コンテンツ再生システムの一実施の形態である音楽再生システム１００は、ユーザが、再生する音楽（コンテンツの一例）と再生する期間とを指定する予約情報４７ｂを設定する携帯端末４０と、予約情報４７ｂに基づき、再生する音楽を示す音楽コンテンツ情報（コンテンツ特定情報の一例）と、再生する期間を示す再生期間情報（再生開始日時と再生終了日時）とを含むスケジュール管理情報６３を登録するスケジュール管理サーバ５０（第１のサーバの一例）と、音楽データを提供するコンテンツサーバ７０（第２のサーバの一例）と、音楽データに基づき音楽を再生するオーディオ装置１０（再生装置の一例）と、を備える。
【００６８】
オーディオ装置１０は、オーディオ装置１０の近傍に人が存在するか否かを検知する人感センサ２３（検知部の一例）を備える。
【００６９】
オーディオ装置１０は、人感センサ２３が人の存在を検知したときに、スケジュール管理サーバ５０に問い合わせを行ってオーディオ装置１０に関連する音楽コンテンツ情報と再生期間情報を取得する。オーディオ装置１０は、音楽コンテンツ情報にしたがいコンテンツサーバ７０から音楽データを取得し、再生期間情報が示す期間において取得した音楽データに基づき音楽を再生する。
【００７０】
以上のような音楽再生システム１００によれば、ユーザが聴きたいタイミングでユーザが聴きたい音楽を自動で再生することができる。すなわち、
【００７１】
本実施の形態のスケジュール管理サーバ５０（スケジュール管理装置の一例）は、音楽を自動再生するためのスケジュールを管理する装置である。スケジュール管理サーバ５０は、携帯端末４０（端末の一例）から、再生する音楽と、再生する期間と、音楽を再生する装置とを指定する予約情報４７ｂを受信するネットワークインタフェース５９（受信部の一例）と、予約情報に基づき、再生する音楽を示す音楽コンテンツ情報と、再生する期間を示す再生期間情報と、再生する装置を示す機器情報とを含むスケジュール管理情報６３を生成するコントローラ５１（制御部の一例）と、スケジュール管理情報６３を格納するデータ格納部５７（格納部の一例）と、音楽特定情報と再生期間情報をオーディオ装置１０に送信するネットワークインタフェース５９（送信部の一例）と、を備える。コントローラ５１は、オーディオ装置１０から問い合わせを受信したときに、そのオーディオ装置１０に関連する音楽コンテンツ情報と再生期間情報をそのオーディオ装置１０に送信する。
【００７２】
本実施の形態のオーディオ装置１０（再生装置の一例）は、人の存在を検知する人感センサ２３と、外部機器と通信する第１無線通信部１８（通信部の一例）と、音楽再生を制御するコントローラ１１と、再生した音楽を音声として出力するスピーカ２２と、を備える。コントローラ１１は、人感センサ２３により人が検知されたときに、第１無線通信部１８を介してスケジュール管理サーバ５０から、再生する音楽を特定する第１の情報（音楽コンテンツ情報）と、再生期間を示す第２の情報とを含むスケジュール情報１７ｂを取得し、第１の情報にしたがい第１無線通信部１８を介してコンテンツサーバ７０から音楽データを取得し、第２の情報が示す再生期間において、取得した音楽データに基づき音楽を再生する。
【００７３】
上記構成により、オーディオ装置１０はスケジュール情報１７ｂにしたがいユーザの好みの音楽を自動再生することができる。また、外部のサーバからスケジュール情報を取得しているため、自装置においてスケジュール情報を管理する必要がない。また、近くに人がいないときは音楽を再生しないため、無駄な音楽再生を防止でき、省電力化が図れる。
【００７４】
（実施の形態２）
図１６は、本開示の実施の形態２に係る音楽再生システムの構成を示す図である。実施の形態１では、１つのオーディオ装置１０に対して１つの携帯端末４０から再生スケジュールが登録される例を説明した。本実施の形態では、１つのオーディオ装置１０に対して複数（本例では、２台）の携帯端末４０ａ、４０ｂから再生スケジュールが登録可能な例を説明する。
【００７５】
各携帯端末４０ａ、４０ｂからのスケジュール管理サーバ５０に対するスケジュールの登録動作は実施の形態１で説明したものと同様である。携帯端末４０ａ、４０ｂは、同じオーディオ装置１０に対する再生スケジュール（すなわち、音楽カレンダ）を設定できる。このとき、異なる携帯端末から同じ再生期間に対して異なる設定がなされた場合、スケジュール管理サーバ５０は、後から入力された設定を優先する。
【００７６】
以下、本実施の形態２におけるオーディオ装置１０における音楽再生処理を説明する。
【００７７】
図１７は、本実施の形態における、オーディオ装置１０がスケジュール管理サーバ５０から受信するスケジュール情報の構成を示す図である。スケジュール情報１７ｃは、実施の形態１のスケジュール情報１７ｂの要素に加えてさらに、スケジュールを設定したユーザのユーザＩＤを含む。
【００７８】
図１８は、実施の形態２に係るオーディオ装置１０における音楽再生処理を示すフローチャートである。図１８は、実施の形態１における図１３に示すシーケンス動作における音楽再生処理（Ｓ３６）に対応している。
【００７９】
オーディオ装置１０は、スケジュール管理サーバ５０からスケジュール情報１７ｃを受信すると（Ｓ１１１でＹＥＳ）、受信したスケジュール情報１７ｃに含まれる機器ＩＤが、自己の機器ＩＤと一致するか否か判断する（Ｓ１１２）。それらが一致している場合（Ｓ１１２でＹＥＳ）、オーディオ装置１０は、第１無線通信部１８（Ｗｉ−Ｆｉ通信）または第２無線通信部１９（Ｂｌｕｅｔｏｏｔｈ通信）を介して接続するローカルなネットワークに接続する全ての携帯端末に対してユーザＩＤを要求する（Ｓ１１２ａ）。オーディオ装置１０は、携帯端末からユーザＩＤを受信すると（Ｓ１１２ｂ）、携帯端末４０ａまたは４０ｂから受信したユーザＩＤと、スケジュール管理サーバ５０から受信したスケジュール情報１７ｃに含まれるユーザＩＤとが一致するか否かを判断する（Ｓ１１２ｃ）。
【００８０】
両ユーザＩＤが一致している場合（Ｓ１１２ｃでＮＯ）、オーディオ装置１０は、スケジュール情報１７ｃに含まれる音楽コンテンツ情報にしたがい音楽ソースにアクセスし、音楽データを取得する（Ｓ１１３）。
【００８１】
オーディオ装置１０は、取得した音楽データのストリーミング再生を開始する（Ｓ１１４）。例えば、音楽コンテンツ情報が音楽配信サービスのＵＲＬを含む場合、オーディオ装置１０はそのＵＲＬに基づきコンテンツサーバ７０にアクセスして音楽データを取得する。これにより、再生スケジュールを設定したユーザがオーディオ装置１０の近傍に存在するときにのみ、そのスケジュールにしたがって音楽が自動再生される。
【００８２】
より具体的には、オーディオ装置１０が、スケジュール管理サーバ５０から受信したスケジュール情報１７ｃに含まれるユーザＩＤがユーザＡを示すものであったとする。このときにオーディオ装置１０の近傍に、ユーザＢでカレンダアプリ４７ａにログインした携帯端末４０ｂが存在している場合、オーディオ装置１０は携帯端末４０ｂからユーザＢのユーザＩＤを受信する。よって、携帯端末４０ｂから受信したユーザＩＤ（＝ユーザＢ）と、スケジュール管理サーバ５０から受信したスケジュール情報１７ｃに含まれるユーザＩＤ（＝ユーザＡ）とは一致しない。このため、オーディオ装置１０は、音楽ソースへアクセスせず、音楽は再生されない。
【００８３】
一方、オーディオ装置１０の近傍に、ユーザＡでカレンダアプリ４７ａにログインした携帯端末４０ａが存在している場合、オーディオ装置１０は携帯端末４０ａから、ユーザＡのユーザＩＤを受信する。よって、携帯端末４０ａから受信したユーザＩＤ（＝ユーザＡ）と、スケジュール管理サーバ５０から受信したスケジュール情報１７ｃに含まれるユーザＩＤ（＝ユーザＡ）とは一致する。このため、オーディオ装置１０は、音楽ソースへアクセスし、音楽データを取得して再生する。
【００８４】
以後、実施の形態１と同様に、オーディオ装置１０は、人感センサ２３が人を検知している間、スケジュールにしたがい音楽を再生する（Ｓ１１５〜Ｓ１１９）。
【００８５】
以上のように、複数のユーザにより、１つのオーディオ装置１０のカレンダが共有される場合、カレンダにおいてスケジュールを設定したユーザがオーディオ装置１０の近傍にいる場合にのみ、音楽が再生される。しかし、スケジュールを設定したユーザと異なるユーザがオーディオ装置１０の近傍にいる場合は、音楽は再生されない。
【００８６】
（実施の形態３）
図１９は、本開示の実施の形態３に係る音楽再生システムの構成を示す図である。
【００８７】
携帯端末４０において再生スケジュールを設定する方法として、マニュアル設定と、プリセット設定と、シーン設定との３通りの設定方法がある。マニュアル設定では、ユーザは、再生期間（再生開始日時、再生終了日時等）及び再生する音楽の情報を自由に指定することができる。プリセット設定では、携帯端末４０において固有のプレイリストが複数用意されている。ユーザは用意された複数のプレイリストの中から１つのプレイリストを選択することにより、容易に再生すべき音楽を指定できる。シーン設定では、日常の様々なシーンに応じて複数のプレイリストが設定されており、ユーザは複数のシーンの中から所望のシーンを選択することで再生すべき音楽を容易に指定することができる。それぞれの設定画面は、画面に表示されたタブ４４０ａ〜４４０ｃにより切り替えられる（図８参照）。
【００８８】
実施の形態１、２では、携帯端末４０でのスケジュール設定においてマニュアルにより設定する場合を説明したが、本実施の形態では、プリセットを用いて設定する場合の構成を説明する。
【００８９】
図２０は、プリセットにより音楽ソースを指定する場合の設定画面の例を説明した図である。ユーザはタブ４４０ｂを選択することによりプリセットによる入力が可能となる。図２０に示すように、プリセットとして、「カフェミュージックでＲＥＬＡＸ」、「いま聞いておきたい洋楽トレンド」等が用意されている。プリセットの場合、再生すべきコンテンツに加えて、再生開始日時及び再生終了日時も自動で予約情報に設定される。このようなプリセットを用意することで、ユーザは感覚的に聴きたい音楽を設定することができる。
【００９０】
図２１は、本実施の形態のスケジュール管理サーバ５０におけるスケジュール管理情報の登録処理を示すシーケンス図である。
【００９１】
携帯端末４０上でユーザによりカレンダアプリ４７ａが起動され（Ｓ１１）、ログイン処理が実行されると（Ｓ１２）、携帯端末４０とスケジュール管理サーバ５０の間で認証処理が行われる（Ｓ１４）。
【００９２】
認証処理が成功すると、携帯端末４０は、図８に示すようなカレンダを表示する（Ｓ１６）。その後、ユーザがカレンダ上でタブ４４０ｂをタッチすると、図２０に示すようなプリセット設定画面が表示される（Ｓ１６）。この設定画面上でユーザにより１つのプリセット（例えば、「カフェミュージックでＲＥＬＡＸ」４４１）が選択されると、予約情報がスケジュール管理サーバ５０に送信される（Ｓ２２ｂ）。この場合、予約情報において、音楽コンテンツ情報としてプリセットを示す情報が含まれる。
【００９３】
スケジュール管理サーバ５０は、受信した予約情報に含まれるプリセットを示す情報に基づき、プリセットに含まれる曲のＵＲＬをコンテンツサーバ７０に要求する（Ｓ２３ａ）。コンテンツサーバ７０は、要求されたＵＲＬの情報をスケジュール管理サーバ５０に送信する（Ｓ２３ｂ）。スケジュール管理サーバ５０は、携帯端末４０から受信した予約情報と、コンテンツサーバ７０から受信したＵＲＬの情報とをスケジュール管理情報６３に登録する（Ｓ２６）。スケジュール管理サーバ５０は、登録完了を示す通知を携帯端末４０に送信する（Ｓ２７）。
【００９４】
以上のようにして、プリセットを用いた再生音楽の指定が可能となる。
【００９５】
（実施の形態４）
図２２は、本開示の実施の形態４に係る音楽再生システムの構成を示す図である。本実施の形態では、ユーザ固有の情報にしたがい自動で音楽再生のスケジュールが設定される構成について説明する。以下では、一例として、あるユーザが祝福したい他のユーザの誕生日に他のユーザの好みに応じた曲を再生するように自動で再生スケジュールが設定される構成を説明する。
【００９６】
図２３は、本実施の形態の音楽再生システムにおける再生スケジュールの登録時のシーケンスを示す図である。
【００９７】
携帯端末４０上でユーザによりカレンダアプリ４７ａが起動され（Ｓ１１）、ログイン処理が実行されると（Ｓ１２）、携帯端末４０とスケジュール管理サーバ５０の間で認証処理が行われる（Ｓ１４）。
【００９８】
認証処理が成功すると、携帯端末４０は、図８に示すようなカレンダを表示する（Ｓ１６）。その後、ユーザによりカレンダ上でタブ４４０ｃがタッチされると、図２４に示すようなシーン選択画面が表示される（Ｓ１６）。この選択画面上でユーザにより「誕生日」４４２が選択されると、図２５に示すような設定画面４５０が表示される（Ｓ１６）。この設定画面４５０では、誕生日と、祝福ユーザと、再生開始時刻と、再生終了時刻とが設定される。「誕生日」は、誕生日を祝いたい相手の誕生日である。「祝福ユーザ」は、誕生日を祝いたい相手のユーザＩＤである。「開始時刻」は誕生日用コンテンツの再生を開始したい時刻である。「終了時刻」は誕生日用コンテンツの再生を終了したい時刻である。
【００９９】
ユーザにより設定画面４５０上での入力が完了すると（Ｓ１７ｃ）、予約情報が生成されてスケジュール管理サーバ５０に送信される（Ｓ２２ｂ）。ここで、予約情報における再生開始時刻は、入力された誕生日と開始時刻の情報に基づき生成される。予約情報における再生終了時刻は、入力された誕生日と終了時刻の情報に基づき生成される。また、予約情報における音楽コンテンツ情報には「誕生日シーン」を示す情報が設定される。この予約情報にはさらに祝福ユーザのユーザＩＤが含まれる。
【０１００】
スケジュール管理サーバ５０は、受信した予約情報における音楽コンテンツ情報に「誕生日」シーンを示す情報が含まれている場合、祝福ユーザの履歴に基づき、祝福ユーザの好みの曲、アーティストを解析し、その解析結果を示す情報を通知して所定のコンテンツサーバ７０に、誕生日用コンテンツを要求する（Ｓ２３ｅ）。コンテンツサーバ７０は、解析結果に基づき誕生日用コンテンツ（曲、プレイリスト等）を決定し、決定した誕生日用コンテンツのＵＲＬの情報をスケジュール管理サーバ５０に送信する（Ｓ２３ｆ）。スケジュール管理サーバ５０は、携帯端末４０から受信した予約情報と、コンテンツサーバ７０から受信した誕生日用コンテンツのＵＲＬの情報とに基づき、祝福ユーザに対するスケジュール管理情報６３を更新する（Ｓ２６ｂ）。スケジュール管理サーバ５０は、登録完了を示す通知を携帯端末４０に送信する（Ｓ２７）。
【０１０１】
以上により、ユーザが指定した祝福ユーザに対して、祝福ユーザの好みに応じたコンテンツが祝福ユーザの誕生日に再生されるように再生スケジュールが設定される。すなわち、祝福ユーザは知らないうちに、自身の誕生日に好みの曲が再生されるため、祝福ユーザに対してサプライズを提供することができる。
【０１０２】
（実施の形態５）
実施の形態４では、シーンとして誕生日を選択した場合に、スケジュール管理情報に、誕生日用の特別な音楽データ（誕生日用コンテンツ）が登録される例を説明した。本実施の形態では、ユーザ情報として携帯端末４０に登録されているユーザの誕生日に基づき、自動的に、ユーザの誕生日用の特別な音楽データの再生を可能とする構成を説明する。
【０１０３】
なお、本実施の形態では、ユーザ情報として、ユーザＩＤ及びパスワードに加えて、ユーザの誕生日の情報が携帯端末４０及びスケジュール管理サーバ５０に登録される。
【０１０４】
図２６は、本実施の形態の音楽再生システムにおける再生スケジュールの登録時のシーケンスを示す図である。
【０１０５】
携帯端末４０においてカレンダアプリが起動され（Ｓ１１）、携帯端末４０の初期設定が行われる（Ｓ１２ｂ）。携帯端末の初期設定においては、ユーザＩＤ、パスワード、ユーザ名、誕生日等のユーザの個人情報が入力される。それらの入力が完了すると、携帯端末４０は、入力された情報をスケジュール管理サーバ５０に送信する。スケジュール管理サーバ５０は、ユーザＩＤ、パスワードに基づき認証処理を行う（Ｓ１４）。
【０１０６】
スケジュール管理サーバ５０は、誕生日が登録されている場合、そのユーザの履歴に基づき、ユーザの好みの曲、アーティストを解析し、その解析結果を示す情報を通知して所定のコンテンツサーバ７０に誕生日用コンテンツを要求する（Ｓ２３ｅ）。コンテンツサーバ７０は、解析結果に基づき誕生日用コンテンツ（曲、プレイリスト等）を決定し、決定した誕生日用コンテンツのＵＲＬの情報をスケジュール管理サーバ５０に送信する（Ｓ２３ｆ）。スケジュール管理サーバ５０は、携帯端末４０から受信したユーザ情報と、コンテンツサーバ７０から受信した誕生日用コンテンツのＵＲＬの情報とに基づき、そのユーザに対するスケジュール管理情報６３を更新する（Ｓ２６ｂ）。このようにして、携帯端末４０のユーザに対して誕生日に、そのユーザに対して選択された誕生日用コンテンツが再生されるように、スケジュール管理情報６３が登録される。その後、携帯端末４０のユーザの誕生日において、オーディオ装置１０の近傍でユーザが検出された時間帯に誕生日用コンテンツが再生される。
【０１０７】
（他の実施の形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１〜４で説明した各構成要素を組み合わせて、新たな実施の形態とすることも可能である。そこで、以下、他の実施の形態を例示する。
【０１０８】
上記の実施の形態では、スケジュールの設定を携帯端末４０で行ったが、スケジュールの設定を携帯端末４０の代わりにデスクトップＰＣやノートＰＣ等の端末から行ってもよい。
【０１０９】
コンテンツの再生スケジュールとして、再生終了日時を指定せずに、再生開始日時とコンテンツのみを指定するようにしてもよい。この場合、コンテンツ再生が終了するまで、または、次のコンテンツの再生開始日時になるまでのいずれか早いタイミングまでコンテンツを再生してもよい。
【０１１０】
スケジュールとして、再生開始日時と再生終了日時を指定した場合に、再生終了日時になった時点でコンテンツ再生の途中だったときは、次のコンテンツの再生開始日時まではそのコンテンツの再生を継続するようにしてもよい。
【０１１１】
再生終了日時になる前にコンテンツを最後まで再生した場合、再生を終了してもよいし再生終了日時まで、そのコンテンツを繰り返し再生してもよい。
【０１１２】
オーディオ装置１０は、スケジュールの問い合わせ（S32）を行った後で人を検知したときにコンテンツを再生するようにしてもよい。
【０１１３】
実施の形態５で説明した、「再生日」だけを指定したときの動作(その日のうちユーザがオーディオ装置近傍にいるときに再生)は他の実施の形態でもできるようにしてもよい。
【０１１４】
上記の実施の形態において、人の存在を検知する検知部の一例として人感センサを説明したが、検知部はこれに限定されない。検知部は例えばカメラでもよく、カメラで撮像した画像を解析して人の存在を検知してもよい。また、顔の画像を解析することで個人を特定することができる。または、検知部は、携帯端末と通信する通信回路と、通信の確立の可否により人の存在を検知する判定回路とで構成してもよい。この検知部は、ユーザが保持する携帯端末と通信が確立されたときに人が存在することを検知できる。この場合、携帯端末の機器ＩＤに基づき個人（携帯端末の所有者）を特定することもできる。
【０１１５】
上記の実施の形態で示したプリセットやシーンは一例である。
【０１１６】
上記の実施の形態では、スケジュール管理情報と音楽データとをそれぞれ別々のサーバ（５０、７０）で管理したが、これらのデータを１つのサーバで管理してもよい。
【０１１７】
上記の実施の形態では、再生すべきコンテンツとして音楽コンテンツを例示したが、再生すべきコンテンツはこれに限定されない。例えば、再生すべきコンテンツは、音、人の声、動物の鳴き声等の音声データであってもよい。または、再生すべきコンテンツは映像コンテンツ（動画または静止画）であってもよい。但しこの場合、再生装置が映像を表示するディスプレイを備える必要がある。また、第２のサーバとして、コンテンツサーバに代えてまたは加えて、映像コンテンツを提供するサーバが必要となる。
【０１１８】
再生装置は、再生するコンテンツに応じて音声及び映像の少なくともいずれかを出力できるデバイスを備えたものであればよい。
【０１１９】
上記の実施形態では、コントローラ１１、４１、５１は、ＣＰＵまたはＭＰＵを含み、所定のプログラム（ソフトウェア）を実行することで後述する所定の機能を実現する例を説明した。このようにコントローラ１１、４１、５１の機能はハードウェアとソフトウェアの協働により実現してもよいし、ハードウェア回路のみで実現してもよい。例えば、コントローラ１１、４１、５１は、ＣＰＵ、ＭＰＵ、ＤＳＰ、ＦＰＧＡ、ＡＳＩＣ、ＡＳＳＰ等で実現することができる。
【０１２０】
以上のように、本開示における技術の例示として、実施の形態を説明した。そのために、添付図面および詳細な説明を提供した。
【０１２１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２３】
本開示は、コンテンツを自動再生する装置に適用できる。
【符号の説明】
【０１２４】
１０  オーディオ装置
１７ｂ、１７ｃ  スケジュール情報
２３  人感センサ
４０、４０ａ、４０ｂ  携帯端末
４７ｂ  予約情報
５０  スケジュール管理サーバ
６３  スケジュール管理情報
７０  コンテンツサーバ
１００  音楽再生システム
２００  ネットワーク
【図１】
2019121064.tif 000003
【図２】
2019121064.tif 000004
【図３】
2019121064.tif 000005
【図４】
2019121064.tif 000006
【図５】
2019121064.tif 000007
【図６】
2019121064.tif 000008
【図７】
2019121064.tif 000009
【図８】
2019121064.tif 000010
【図９】
2019121064.tif 000011
【図１０】
2019121064.tif 000012
【図１１】
2019121064.tif 000013
【図１２】
2019121064.tif 000014
【図１３】
2019121064.tif 000015
【図１４】
2019121064.tif 000016
【図１５】
2019121064.tif 000017
【図１６】
2019121064.tif 000018
【図１７】
2019121064.tif 000019
【図１８】
2019121064.tif 000020
【図１９】
2019121064.tif 000021
【図２０】
2019121064.tif 000022
【図２１】
2019121064.tif 000023
【図２２】
2019121064.tif 000024
【図２３】
2019121064.tif 000025
【図２４】
2019121064.tif 000026
【図２５】
2019121064.tif 000027
【図２６】
2019121064.tif 000028